(57)【要約】【課題】階高を抑えつつ、壁と上階のスラブとの縁を切る。【解決手段】建物構造１１は、下端部５２が建物躯体に支持された遮蔽壁５０と、遮蔽壁５０の上端部５４に滑り支承１００を介して支持された上階１６のスラブ３０と、を備えている。【選択図】図１
2019112798.tif 000002
【特許請求の範囲】
【請求項１】
下端部が建物躯体に支持された壁と、
前記壁の上端部にアイソレーターを介して支持された上階のスラブと、
を備えた建物構造。
【請求項２】
前記壁は、放射線の透過を遮蔽する遮蔽壁である、
請求項１に記載の建物構造。
【請求項３】
前記壁の上端部には天井材が接合され、
前記天井材と前記スラブとの間には、板状の縁切部材が設けられている、
請求項１又は請求項２に記載の建物構造。
【発明の詳細な説明】
【技術分野】
【０００１】
本発明は、建物構造に関する。
【背景技術】
【０００２】
引用文献１には、建物内の放射線治療施設、ＲＩ取り扱い施設、放射性廃棄物保管室等の放射線遮蔽が必要な空間の周囲に設置する放射線遮蔽仕切壁に関する技術が開示されている。
【０００３】
放射線の遮蔽壁は厚く剛性が高いため、建物全体の偏心率や水平力の集中が過大となることがある。よって、これを避けるため遮蔽壁は、建物躯体と縁切ることが望ましいとされている。しかし、引用文献１では、  遮蔽壁の上側にスラブを支持するためにスラブ下に小梁を設けており、遮蔽壁を設置した階の階高が高くなる。
【先行技術文献】
【特許文献】
【０００４】
【特許文献１】特開平１１―１３１６５５号公報
【発明の概要】
【発明が解決しようとする課題】
【０００５】
本発明は、上記事実を鑑み、階高を抑えつつ、壁と上階のスラブとの縁を切ることが目的である。
【課題を解決するための手段】
【０００６】
請求項１の発明は、下端部が建物躯体に支持された壁と、前記壁の上端部にアイソレーターを介して支持された上階のスラブと、を備えた建物構造である。
【０００７】
請求項１に記載の発明では、壁の上端部で上階のスラブをアイソレーターで支持することで、壁とスラブとの縁を切ることができると共に、スラブ下に梁を設ける必要がなくなり、その分、壁を設置した階の階高を低くすることができる。つまり、階高を抑えつつ、壁と上階のスラブとの縁を切ることができる。
【０００８】
請求項２の発明は、前記壁は、放射線の透過を遮蔽する遮蔽壁である、請求項１に記載の建物構造である。
【０００９】
請求項２に記載の発明では、遮蔽壁の上端部でアイソレーターを介してスラブを支持することで、遮蔽壁とスラブとの縁が切られている。よって、放射線の遮蔽壁を備えた建物の偏心を抑制することできる。
【００１０】
請求項３の発明は、前記壁の上端部には天井材が接合され、前記天井材と前記スラブとの間には、板状の縁切部材が設けられている、請求項１又は請求項２に記載の建物構造である。
【００１１】
請求項３に記載の発明では、階高を抑えつつ、天井材とスラブとの縁を切ることができる。
【発明の効果】
【００１２】
本発明によれば、階高を抑えつつ、壁と上階のスラブとの縁を切ることができる。
【図面の簡単な説明】
【００１３】
【図１】本発明の一実施形態の放射線治療室の縦断面図である。
【図２】図１の要部を拡大した拡大縦断面図である。
【図３】（Ａ）は比較例の放射線治療室の縦断面図であり、（Ｂ）は図１の縦断面図である。
【発明を実施するための形態】
【００１４】
＜実施形態＞
本発明の一実施形態の建物構造が適用された放射線治療室について説明する。
【００１５】
［構造］
先ず、本実施形態の放射線治療室の構造について説明する。
【００１６】
図１に示す本実施形態の建物構造１１が適用された建物１０は病院であり、この建物１０内に放射線治療室２０が設けられている。本実施形態の建物構造１１は、遮蔽壁５０と滑り支承１００とスラブ３０とを含んで構成されている。放射線治療室２０は、放射線を遮蔽する鉄筋コンクリート造の遮蔽壁５０で囲まれている。
【００１７】
本実施形態の遮蔽壁５０の厚みは、１０００ｍｍ以上である。放射線治療室２０内には、図示していない放射線治療器が設置されている。また、遮蔽壁５０の下端部５２は、放射線治療室２０が設けられた当階１２の床を構成する鉄筋コンクリート造のスラブ１４等の建物躯体に接合されている。
【００１８】
図１及び図２に示すように、遮蔽壁５０の上端部５４の上方には、放射線治療室２０の上階１６の床を構成する鉄筋コンクリート造のスラブ３０が、隙間をあけて設けられている。また、遮蔽壁５０の上端部５４には、放射線治療室２０の天井面を構成する天井材２２が接合されている。また、この天井材２２と上階１６のスラブ３０との間には、スタイロフォーム（登録商標）等の板状の縁切部材７０が設けられている。
【００１９】
また、遮蔽壁５０の上端部５４と上階１６のスラブ３０との間には、アイソレーターの一例としての滑り支承１００が設けられている。よって、スラブ３０は遮蔽壁５０の上端部５４に滑り支承１００を介して支持されている。
【００２０】
図２に示すように、本実施形態の滑り支承１００は、第一部材１１０と第二部材１２０とを含んで構成されている。第一部材１１０は、ＰＴＦＥ等のフッ素系樹脂で形成された滑り板１１２と金属製の支持プレート１１４とが接合された構造である。第二部材１２０は、滑り板１１２の上を滑る金属製の摺動板１２２と支持プレート１２４とが接合された構造である。また、第一部材１１０の支持プレート１１４には略Ｖ字状の接合筋１１６が接合され、第二部材１２０の支持プレート１２４には略逆Ｖ字状の接合筋１２６が接合され、
【００２１】
そして、滑り支承１００を構成する第一部材１１０は、遮蔽壁５０の上端部５４に埋設された接合筋１１６によって固定されている。また、滑り支承１００を構成する第二部材１２０は、スラブ３０の下面部３２に埋設された接合筋１２６によって固定されている。
【００２２】
なお、平面視において、滑り支承１００を構成する第二部材１２０の支持プレート１２４は、第一部材１１０の支持プレート１１４よりも小さい。よって、第二部材１２０の支持プレート１２４の端面と縁切部材７０の端面との間に隙間ができる。そして、この隙間部分を埋めるように、コンクリート止めプレート７２が、縁切部材７０の端部上面に接合されている。
【００２３】
なお、滑り支承１００を構成する第二部材１２０を遮蔽壁５０の上端部５４に接合し、第一部材１１０をスラブ３０の下面部３２に接合してもよい。また、本実施形態の滑り支承１００の構造は一例であって、これに限定されるものではない。
【００２４】
（施工手順）
次に施工手順の一例を説明する。
【００２５】
遮蔽壁５０の上端部５４に滑り支承１００が固定された状態で、天井材２２の上に縁切部材７０を敷く。更に、縁切部材７０の端部上面にコンクリート止めプレート７２を設ける。
【００２６】
そして、遮蔽壁５０の上階１６の床を構成する鉄筋コンクリート造のスラブ３０を打設する。このとき、縁切部材７０の端部上面に設けたコンクリート止めプレート７２によって、滑り支承１００の第二部材１２０の支持プレート１２４の端面と縁切部材７０の端面との隙間から滑り支承１００へのコンクリートの進入が防止される。
【００２７】
［作用及び効果］
次に、本発明の作用及び効果について説明する。
【００２８】
遮蔽壁５０の上端部５４で滑り支承１００を介して上階１６のスラブ３０を支持することで、遮蔽壁５０とスラブ３０との縁が切られている。また、遮蔽壁５０の上端部５４に接合された天井材２２とスラブ３０との間には、板状の縁切部材７０が設けられているので、天井材２２とスラブ３０との縁が切られている。よって、放射線を遮蔽する遮蔽壁５０を備えた建物１０全体の偏心が抑制されている。
【００２９】
ここで、本発明が適用されていない比較例の建物構造について説明する。
【００３０】
図３（Ａ）に示す比較例の建物構造１３では、遮蔽壁５０と上階１６のスラブ３０とは、間隔をあけることで、縁が切られている。この場合、スラブ３０はスラブ下に設けられた小梁８０で支持されている。
【００３１】
これに対して、図１及び図３（Ｂ）に示すように、本実施形態の建物構造１１では、前述したように、遮蔽壁５０の上端部５４で滑り支承１００を介して上階１６のスラブ３０を支持することで、遮蔽壁５０とスラブ３０との縁が切られている。よって、比較例のようにスラブ３０を支持するためにスラブ下に小梁８０を設ける必要がなくなり、その分（図３のΔＬを参照）、遮蔽壁５０を設置した上階１６のスラブ３０を下げて上階１６の階高を高くしている。
【００３２】
したがって、本実施形態の建物構造１１は、階高を抑えつつ、遮蔽壁５０と上階１６のスラブ３０との縁を切ることができる（図３（Ａ）と図３（Ｂ）とを比較参照）。
【００３３】
＜その他＞
尚、本発明は上記実施形態に限定されない。
【００３４】
例えば、上記実施形態では、遮蔽壁５０を設置した上階１６のスラブ３０を下げて上階１６の階高を比較例よりもΔＬ高くしたが、これに限定されない。放射線治療室２０の天井材２２を上げて放射線治療室２０の階高をΔＬ高くしてもよい。或いは、放射線治療室２０と上階１６との両方の階高を、例えば、１／２ΔＬずつ高くしてもよい。
【００３５】
また、例えば、上記実施形態では、滑り支承１００をアイソレーターとして用いたが、これに限定されない。滑り支承１００以外のアイソレーター、例えばボールベアリング支承等の転がり支承を用いてもよい。
【００３６】
また、例えば、上記実施形態では、放射線を遮蔽する遮蔽壁５０に本発明を適用したが、これに限定されない。一般的な厚さの壁に本発明を適用してもよい。
【００３７】
更に、本発明の要旨を逸脱しない範囲において種々なる態様で実施し得る。
【符号の説明】
【００３８】
１１      建物構造
１４      スラブ（建物躯体の一例）
３０      上階のスラブ
５０      遮蔽壁（壁の一例）
５２      下端部
５４      上端部
７０      縁切部材
１００      滑り支承（アイソレーターの一例）
【図１】
2019112798.tif 000003
【図２】
2019112798.tif 000004
【図３】
2019112798.tif 000005